(57)【要約】      （修正有）【課題】使用時には平面にされて乳幼児を安全に寝かせることができ、不使用時には折り畳み可能なベビーベッドを提供する。【解決手段】ベビーベッド１０は、折れ変形可能な屈曲線を有する敷板４１と、屈曲線と交差して敷板４１の下面に取り付けられる棒部材と、敷板４１の上面から１５ｃｍ以上立ち上がって敷板４１を包囲する壁板５１〜５４と、床Ｆ上に支持されるベース部材１１と、上縁がベース部材１１と連結し下縁が敷板４１と連結して敷板４１を吊り下げ支持する吊り下げ部材２１とを備える。【選択図】図１
0003181795.tif 000002
【実用新案登録請求の範囲】
【請求項１】
複数の板片とこれら板片同士を接続する折れ変形可能な屈曲線を有する敷板と、
中央領域が前記屈曲線と交差して前記敷板の下面に取り付けられる棒部材と、
前記敷板に固定され、敷板の上面から１５ｃｍ以上立ち上がって敷板を包囲する壁板と、
床上に支持されるベース部材と、
上縁が前記ベース部材と連結し、下縁が前記敷板と連結して当該敷板を吊り下げ支持する吊り下げ部材とを備える、ベビーベッド。
【請求項２】
前記ベース部材は、前記敷板の下面と向き合う底面部と、前記底面部の外縁から上方へ延びて前記敷板および前記壁板を取り囲む外縁部とを有する、請求項１に記載のベビーベッド。
【請求項３】
前記敷板は、前記外縁部の上下方向中央領域と同じ高さ位置で吊り下げ支持される相対的に上方の第一位置と、前記底面部に載置される相対的に下方の第二位置とに選択的にされる、請求項２に記載のベビーベッド。
【請求項４】
前記ベース部材の外縁部に設けられて前記敷板および前記壁板の外周を包囲する布または柔らかいシート製の外周シートをさらに備え、
前記壁板は前記外周シートにさらに固定される、請求項２または３に記載のベビーベッド。
【請求項５】
前記敷板は矩形であり、
前記ベース部材の外縁部は、前記敷板の隅部に対応する位置にそれぞれ配置された４本の柱材と、隣り合う柱材同士を連結する横材とを含み、
前記吊り下げ部材は、前記敷板の隅部から上方へ延びる屈曲自在な帯状体と、前記帯状体の上端に設けられて前記柱材と分離可能に連結する連結具とを有する、請求項２〜４のいずれかに記載のベビーベッド。
【請求項６】
前記柱材は、その上端部に少なくとも上方に向かって開口する凹部を有し、上方から前記凹部に差し込まれる前記連結具を受け入れて、該連結具を水平移動不能に支持する、請求項５に記載のベビーベッド。
【考案の詳細な説明】
【技術分野】
【０００１】
本考案は、折り畳み可能な吊り下げ式ベッドに関する。
【背景技術】
【０００２】
折り畳み可能なフレームを備え、持ち運びに資するよう軽量化され、不使用時にはコンパクトに折り畳まれる乳幼児用ベッドとして例えば特開２００８−１５４７５２（特許文献１）のごときものが知られている。特許文献１には、平板状のベッドプレートをフレームの上横枠に着脱可能に吊り下げ、ベッドプレート上に短尺な中空円柱状の保護カバーを載置し、保護カバーの内部に乳幼児を寝かせることが記載されている。
【先行技術文献】
【特許文献】
【０００３】
【特許文献１】特開２００８−１５４７５２号公報
【考案の概要】
【考案が解決しようとする課題】
【０００４】
しかし、特許文献１のベビーベッドにあっては、以下に説明するような問題を生ずる。つまり平板状のベッドプレートが、巨大な一枚の平板であるため、せっかくフレームをコンパクトに折り畳み可能にしても、不使用時にはベッドプレートが場所を取ってしまう。
【０００５】
また、特許文献１のベビーベッドにあっては、幼児を包囲可能な保護カバーを用意するが、保護カバーは立体形状であり、不使用時にはある程度の場所を取る。そうすると不使用時には邪魔になってしまう。かといって折り畳み可能なように保護カバーを柔軟性に優れた素材にて構成すると、保護カバーが立体形状を維持できずに不所望な変形をきたしたり、耐久性が悪化したりする。
【０００６】
本考案は、敷板が使用時には平面にされ、不使用時には折り畳み可能な乳幼児用ベッドを提供することを第１の目的とする。また本考案は、特許文献１のような保護カバーを用いることなく、乳幼児を安全に寝かせることができる技術を提供することを第２の目的とする。
【課題を解決するための手段】
【０００７】
この目的のため本考案によるベビーベッドは、複数の板片とこれら板片同士を接続する折れ変形可能な屈曲線を有する敷板と、中央領域が屈曲線と交差して敷板の下面に取り付けられる棒部材と、敷板に固定され、敷板の上面から１５ｃｍ以上立ち上がって敷板を包囲する壁板と、床上に支持されるベース部材と、上縁がベース部材と連結し、下縁が敷板と連結して当該敷板を吊り下げ支持する吊り下げ部材とを備える。
【０００８】
かかる本考案によれば、使用時には敷板を平面に広げるとよい。そして平面に広げられた敷板は、棒部材によって折り曲げ不能に安定して支持される。また不使用時には敷板を折り畳むことが可能となり、ベビーベッドの敷板が場所を取らないようにすることができる。また壁板を備えることから、平面に広げた敷板上に寝ている乳幼児を壁板で包囲することができ、乳幼児を安全に寝かせることができる。
【０００９】
本考案のベース部材は、床上に置かれる柱状物や、脚部を有する架台など、吊り下げ部材の上縁を支持する構造物であればよく、その構造は特に限定されない。本考案の一実施形態として、ベース部材は、敷板の下面と向き合う底面部と、底面部の外縁から上方へ延びて敷板および壁板を取り囲む外縁部とを有する。かかる実施形態によれば、底面部および外縁部を有することから敷板および壁板を取り囲む空間を構成することが可能となり、乳幼児を収容する空間をベース部材で包囲することができる。なお底面部の具体的な構造としては、棒部材を組み合わせたフレーム体や、板片や、あるいはその他の構造であってもよい。また外縁部の具体的な構造としては、柵あるいはその他の構造であってもよい。そして底面部および外縁部が箱状体を構成してもいい。
【００１０】
敷板の高さ位置は、ベビーベッドとして使い勝手が良くなるよう、床よりも高くされ、乳大人の平均的な腰の高さと同じぐらいの高さ位置にされるとよい。また敷板の高さ位置を可変としてもよい。本考案の好ましい実施形態として、敷板は外縁部の上下方向中央領域と同じ高さ位置で吊り下げ支持される相対的に上方の第一位置と、底面部に載置される相対的に下方の第二位置とに選択的にされる。かかる実施形態によれば、敷板を第一位置に設置することにより、敷板をベビーベッドとして使いやすい高さにすることができる。あるいは敷板を第二位置に設置することにより、乳幼児が外縁部を乗り越えて敷板の外へ出ることを防止できる。したがって敷板上で乳幼児を遊ばせることが可能になり、本考案のベビーベッドをプレイヤードのように使用することができる。
【００１１】
本考案の好ましい実施形態として、ベース部材の外縁部に設けられて敷板および壁板の外周を包囲する布または柔らかいシート製の外周シートをさらに備え、壁板は外周シートにさらに固定される。かかる実施形態によれば、敷板および壁板を外周シートで包囲することから、乳幼児を収容する空間を外周シートで安全に保護することができる。また外縁部を簡素化して、柱材および横材のみからなる単純な枠体にすることができる。
【００１２】
敷板の形状は特に限定されないが、一般的な大人用ベッドのように矩形にするとよい。一実施形態として、敷板は矩形であり、ベース部材の外縁部は敷板の隅部に対応する位置にそれぞれ配置された４本の柱材と、隣り合う柱材同士を連結する横材とを含み、吊り下げ部材は敷板の隅部から上方へ延びる屈曲自在な帯状体と、帯状体の上端に設けられて柱材と分離可能に連結する連結具とを有する。かかる実施形態によれば、ベース部材を枠体にすることが可能になり、ベース部材を軽量化して折り畳み易くすることができる。また長方形あるいは正方形といった矩形の敷板を、枠体にされたベース部材に容易に設置することができる。
【００１３】
ベース部材と吊り下げ部材上縁の連結構造は特に限定されないが、一実施形態として、柱材は、その上端部に少なくとも上方に向かって開口する凹部を有し、上方から凹部に差し込まれる連結具を受け入れて、該連結具を水平移動不能に支持する。かかる実施形態によれば、連結具が自重および乳幼児の体重によって凹部に確りと固定される。しかも連結具と凹部との連結操作および解除操作が容易となり、ベビーベッドの組立および解体が容易になる。
【考案の効果】
【００１４】
このように本考案によれば、敷板を平面の状態で安定して支持することができる。そして、乳幼児を安全に寝かせることができる。
【図面の簡単な説明】
【００１５】
【図１】本考案の一実施形態になるベビーベッドを示す斜視図である。
【図２】同実施形態のベビーベッドの部品構成を示す分解斜視図である。
【図３】敷板の下面を示す底面図である。
【図４】同実施形態の敷板、壁板、および棒部材を取り出して示す分解斜視図である。
【図５】フレーム構造体の一部を拡大して示す斜視図である。
【図６】吊り下げ部材の上端を拡大して示す図である。
【考案を実施するための形態】
【００１６】
以下、本考案の実施形態を、図面に基づき詳細に説明する。
【００１７】
図１は本考案の一実施形態であるベビーベッドを示す斜視図であり、図２は同実施形態のベビーベッドを示す分解斜視図である。ベビーベッド１０は、ベース部材で敷板を吊り下げ支持する形式であり、ベビーベッド１０の骨格を構成するフレーム構造体１１と、フレーム構造体１１に取り付けられてフレーム構造体１１の外周を包囲する布状部材１２と、布状部材１２に包囲される敷板４１と、敷板４１に着脱可能に取り付けられる棒部材３１と、敷板４１に固定される壁板である第１〜第４壁板５１〜５４と、敷板４１をフレーム構造体１１から吊り下げ支持する吊り下げ部材２１とを備える。
【００１８】
まず、フレーム構造体１１につき説明すると、フレーム構造体１１は床Ｆ上に支持されるベース部材であり、底面部と、底面部の外縁から上方へ延びて敷板４１および第１〜第４壁板５１〜５４を取り囲む外縁部とを有する。フレーム構造体１１は、乳児から幼児までの低年齢児を収容するために適した大きさの乳幼児収容空間の周囲を取り囲むように形成される。具体的にフレーム構造体１１は、乳幼児収容空間の周囲に沿って間隔をおいて配置される複数の柱材１４と、隣り合う柱材１４同士を互いに連結する複数の横材１５〜１８と、脚部１３と、クロス部材１９とを含む。クロス部材１９はベース部材の底面部を構成する。複数の柱材１４および複数の横材１５〜１８はベース部材の外縁部を構成する。なお本実施形態では、横材１５，１７が長方形の長辺をなし、横材１６，１８が長方形の短辺をなし、柱材１４が長方形の四隅に配置される。フレーム構造体１１は折り畳み可能であり、不使用時には折り畳まれて縮小される。かくして、乳幼児収容空間は平面視において矩形に形成される。
【００１９】
柱材１４は平面視において当該矩形の四隅の角部で直立するよう配置される。ベビーベッド長手方向一方側に配置された２本の柱材１４，１４間には、矩形の短辺を構成する横材１６，１８が架設される。横材１６の両端は柱材ブロック３３を介して柱材１４，１４の上端とそれぞれ連結する。横材１８の両端は柱材１４，１４の下端とそれぞれ連結する。かくして柱材１４，１４および横材１６，１８は四角い枠体を構成する。同様に、ベビーベッド長手方向他方側に配置された２本の柱材１４，１４間にも、矩形の短辺を構成する横材１６，１８が架設される。
【００２０】
長辺に関しても略同様であり、ベビーベッド短手方向一方側に配置された２本の柱材１４，１４間には、矩形の長辺を構成する横材１５，１７が架設される。同様に、ベビーベッド短手方向他方側に配置された２本の柱材１４，１４間には、矩形の長辺を構成する横材１５，１７が架設される。
【００２１】
横材１５の両端には横材ブロック３４が設けられ、横材ブロック３４は柱材ブロック３３に係合する。なお本実施形態の変形例として、横材ブロック３４を柱材ブロック３３に沿って上下方向に摺動可能としてもよい。これにより、いずれか一方の横材１５を、上下方向に変位可能に１対の柱材１４，１４に連結してもよい。かかる変形例によれば、乳幼児が乳幼児収容空間を出入する際に、一方の横材１５を下方へスライド移動させるとよい。
【００２２】
フレーム構造体１１は、各柱材１４の下端から下方に延びる脚部１３と、クロス部材１９とをさらに含む。各脚部１３の下端は床Ｆの上に置かれる。クロス部材１９は平面視Ｘ字状であって、クロス部材１９の各端が四隅に配置された４本の柱部１４の下端とそれぞれ連結する。かくしてクロス部材１９はベース部材の底面部を構成する。
【００２３】
次に布状部材１２につき説明すると、布状部材１２は、０．５〜５ｍｍ程度の大きさの網目あるいはさらに肌理の細かなネットや、布地などの素材で形成され、４本の柱部材１４の間の４面にそれぞれ張設される。あるいは布状部材１２は、布以外の柔らかい素材、例えばある程度透過性を有するビニールシートなどであってもよい。そして布状部材１２の上縁は横材１５，１６に吊り下げられる。また布状部材１２の下端は横材１７，１８に固定される。これにより布状部材１２は、ベース部材の外縁部に設けられて、乳幼児収容空間を確実に包囲する。
【００２４】
次に敷板４１につき説明する。本実施例の敷板４１は、平面視長方形の乳幼児収容空間の底面を構成する平面視長方形であるため、敷板４１の輪郭線について便宜上、１対の短辺部分を第１辺、第２辺、一端部、他端部、あるいは両端部と称する。また１対の長辺部分を第３辺、第４辺、一方側縁、他方側縁、あるいは両側縁と称する。
【００２５】
敷板４１は、乳幼児の体重によって変形しないよう、十分な曲げ強度を有する硬質の板片を芯材として含み、表面が相対的に軟質な材料で形成される。また敷板４１は、ベビーベッド短辺方向に延びる屈曲線４３が複数本間隔をあけて形成される。敷板４１はこれら屈曲線４３で折れ変形可能であり、ベビーベッドの折り畳み時には四角筒に折れ畳まれる。また四角筒にされた敷板４１は、折り畳まれたフレーム構造体１１と、敷板４１の両側縁に連結される壁板５３，５４と、棒部材３１とを束ねる。
【００２６】
図３に示すように、敷板４１は両端部に複数の筒状部材４２を有する。筒状部材４２は布製あるいは柔らかいシート製であって、敷板４１の下面に縫着、溶着、あるいは貼着されている。ベビーベッド１０の使用時には敷板４１を展開して平坦に伸ばし、長手方向一方側および長手方向他方側で対をなす筒状部材４２には、棒部材３１の両端部がそれぞれ挿通される。このように敷板４１の下面に棒部材３１を取り付けた状態で、硬質の棒部材３１の中央領域が３本の屈曲線４３と略直交に交差して敷板４１を支持する。これにより乳幼児が敷板４１の上に載っても、敷板４１は屈曲線４３で折れ変形することなく、平面に保持される。本実施形態では、６個３対の筒状部材４２を有し、３本の棒部材３１が取り付けられる。
【００２７】
図４は、敷板４１、壁板５１〜５４、および棒部材３１を取り出して示す分解斜視図である。敷板４１は、長方形の短辺方向に延びる複数の板片を、長方形の長辺方向に連結したものである。各板片は例えば硬質プラスチックや剛性を有する軽金属版であって、両面を布状部材やフィルムシートで覆われる。そして隣り合う板片は屈曲線４３を介して接続される。屈曲線４３は、短辺と平行であり、直線状に延びる。屈曲線４３は布状部材やフィルムシートで形成される。敷板４１の下面には筒状部材４２、収納袋４４、および吊り下げ部材２１を貼着、縫着、ないし熱溶着によって取付固定する。敷板４１には、ベビーベッド一端部において第１の壁板５１が延設され、ベビーベッド他端部において第２の壁板５２が延設される。第１壁板５１および第２壁板５２も、敷板４１と同じ強度を有する硬質の板片を芯材として含み、表面が相対的に軟質な材料で形成される。すなわち第１壁板５１、敷板４１、および第２壁板５２は１部材である。
【００２８】
敷板４１と第１壁板５１との境界線５５は屈曲線であって、布状部材やフィルムシートで形成される。図４に示すように第１壁板５１は境界線５５で９０度折れ変形して水平な敷板４１から立ち上がる。敷板４１と第２壁板５２との境界線５５も同様な屈曲線であって、第２壁板５２も敷板４１から立ち上がる。
【００２９】
図４に示すように、敷板４１の両側縁には両端開口の筒状部材５６,５７が取付固定される。筒状部材５６は敷板４１の一方側縁に沿って延び、筒状部材５７は敷板４１の他方側縁に沿って延びる。筒状部材５６,５７は布製であって、図４に二点鎖線で示すように、敷板４１と共通する平面の位置に倒すことができる。
【００３０】
筒状部材５６には第３壁板５３が挿通される。筒状部材５７には第４壁板５４が挿通される。第３および第４壁板５３，５４を挿通されることにより敷板４１は平坦な形状にされる。第３壁板５３は、敷板４１の長辺と等しい長さ寸法を有する硬質の長板であり、複数の平坦な板片５３ａ，５３ｂを互いに接続固定して１枚の平坦な長板５３にされる。なお図には示さなかったが、第３壁板５３は分解不能な１枚の長板であってもよいし、３枚以上の平坦な板片に分解可能であってもよい。また第３壁板５３は、第１および第２壁板５１，５２と等しい幅寸法を有し、その幅寸法は１５ｃｍ以上である。第４壁板５４も第３壁板５３と同様に構成される。
【００３１】
ベビーベッド１０の使用時には図４に実線で示すように第１壁板５１および第２壁板５２を敷板４１に対して９０度の角度で立ち上げ、筒状部材５６に挿通された第３壁板５３を敷板４１に対して９０度の角度で立ち上げ、筒状部材５７に挿通された第４壁板５４を敷板４１に対して９０度の角度で立ち上げることにより、敷板４１の四方が第１〜第４壁板５１〜５４で包囲される。これまで説明したように、敷板４１で構成される１つの底面と、第１〜第４壁板５１〜５４で構成される４つの側面とからなる箱状体４０が完成する。
【００３２】
図３および図４に示すように、敷板４１の各隅には吊り下げ部材２１が連結される。各吊り下げ部材２１は、屈曲自在な帯状体２２と、帯状体２２の上端に取り付けられた連結具２３とを有する。帯状体２２の下端は敷板４１の下面に縫着あるいは溶着される。そして各吊り下げ部材２１は、敷板４１の短辺に対して４５°の角度で外方へ延出する。また各吊り下げ部材２１は、敷板４１の長辺に対しても４５°の角度で外方へ延出する。
【００３３】
各吊り下げ部材２１の上端を上方へ引き上げると、隣接する壁板同士の境界部分を覆うことから、第１〜第４壁板５１〜５４が外方へ倒れることがないよう、第１〜第４壁板５１〜５４を支えることができる。なお各帯状体２２は上端から下端に向かうにつれて徐々に幅広に形成されている。これにより、第１〜第４壁板５１〜５４の端部を好適に支えることができる。
【００３４】
帯状体２２の上端に設けられた連結具２３は、図６に示すように、上下方向に延びるアリ型２５と、アリ型２５よりも下方に形成された翼状のつまみ部２９を有する。アリ型２５の下端面２７は平坦な等脚台形に形成される。そして等脚台形の長辺がつまみ部２９から遠い側にされ、等脚台形の短辺がつまみ部２９に近い側にされる。吊り下げ部材２１の連結具２３は、柱材１４の柱材ブロック３３に着脱可能に連結される。
【００３５】
帯状体２２は、帯状に延びる翼部２２ｗおよびベルト部２２ｂからなる。翼部２２ｗは敷板４２に近づくほど幅広に形成される。一定幅のベルト部２２ｂは、翼部２２ｗよりも幅が狭く外側面翼部２２ｗの中心線に沿うよう、翼部２２ｗの外側面に縫着あるいは溶着される。ベルト部２２ｂの上端は、連結具２３のベルト通し孔２８に通され、折り返されてベルト部２２ｂ自身に縫着される。これにより連結具２３はベルト部２２ｂの上端に分離不能に連結される。ベルト部２２ｂの下端は敷板４１の下面に縫着あるいは溶着される。
【００３６】
なお、第１〜第４壁板５１〜５４に直接接触するのは翼部２２ｗの内側面である。ベルト部２２ｂは翼部２２ｗの外側面に接触する。またアリ型２５は、翼部２２ｗの外側面と同じ向きにされる。
【００３７】
柱材ブロック３３は、柱材１４の上端に設けられて、柱材１４の上端と横材１６の端部とを接続する。また柱材ブロック３３は、横材１５の端部に設けられた横材ブロック３４と連結する。また柱材ブロック３３の内側面には、図５に示すように上下方向に延びるアリ溝３５が形成される。アリ溝３５は柱材１４の上端部に設けられて上方に向かって開口する凹部である。アリ溝３５の下端面３７は等脚台形であって、水平な底面をなす。そして等脚台形の長辺が内部収容空間の内側にされ、等脚台形の短辺が内部収容空間の外側にされる。
【００３８】
本実施形態のベビーベッド１０の組立方法は、図２に示すようにフレーム構造体１１および布状部材１２を展開し、フレーム構造体１１内部の乳幼児収容空間に、箱状体４０を上方から入れ、各吊り下げ部材２１の上端を箱状体４０よりも上方へ捻じれないように引き出し、柱材ブロック３３のアリ溝３５に連結具２３のアリ型２５を上方から差し込む。アリ型２５は箱状体４０の外側、すなわち柱材ブロック３３側、へ向いており、アリ溝３５はアリ型２５を受け入れて、連結具２３を水平移動不能に支持する。そしてアリ型２５の下端面２７がアリ溝３５の下端面３７に支持されて、連結具２３を脱落不能に支持する。これにより敷板４１は吊り下げ部材２１によって吊り下げ支持される。そして布状部材１２は敷板４１および第１〜第４壁板５１〜５４の外周を包囲する。吊り下げ支持された平坦な敷板４１の高さ位置は、フレーム構成体１１の上端部と下端部とを除いた上下方向中央領域に含まれる。箱状体４０の組立方法は図４を参照されたい。
【００３９】
第１および第２壁板５１，５２の外側面には面ファスナ５８がそれぞれ設けられている。同様に筒状部材５６,５７にも面ファスナ５８がそれぞれ設けられ、面ファスナ５８は第３および第４壁板５３，５４の外側面に位置している。また布状部材１２の内側面にも、面ファスナ５９が設けられる。面ファスナ５９は、吊り下げ支持された箱状体４０に対応する位置に配置される。各面ファスナ５８，５９を貼り合わせることによって、第１〜第４壁板５１〜５４は布状部材１２の四方に固定され、布状部材１２がばたつくことがない。ベビーベッド１０の折り畳み方法は、これまで説明してきた手順と逆の手順を行えばよい。
【００４０】
図３に示すように、敷板４１の下面には複数の収納袋４４が取り付けられる。各収納袋４４は敷板４１の四隅にそれぞれ配置される。屈曲自在な吊り下げ部材２１は、図３の右上に示すように敷板４１の中心に向かって折り曲げることができる。そして収納袋４４は、図３の右下に示すように、吊り下げ部材２１を収納することができる。したがって敷板４１を吊り下げ支持しない場合は、吊り下げ部材２１を収納袋４４に収納することにより、敷板４１の下面をすっきりさせることができる。
【００４１】
本実施形態によれば、四隅の吊り下げ部材２１を上方へ引っ張ることにより、吊り下げ部材２１が立ち上がった４枚の壁板５１〜５４の端部に沿って延びる。そして吊り下げ部材２１は壁板５１〜５４の端部を外側に倒れないように支持する。これにより４枚の壁板５１〜５４は立ち上がった状態に保持され、敷板４１の四方を包囲する。４枚の壁板５１〜５４の立ち上がり高さは、敷板４１の上面から１５ｃｍ以上である。これにより、敷板４１に幼児用布団を敷き、幼児用布団の上に乳幼児を寝かせても、乳幼児の頭部が壁板５１〜５４と幼児用布団との間の隙間に挟まれる懸念が解消される。したがって乳幼児を安心して寝かせることができる。なお敷板４１を吊り下げ支持した状態で、第１〜第４壁板５１〜５４の上縁は、横材１５，１６よりも下方に位置する。
【００４２】
また本実施形態では、吊り下げ支持によって箱状体４０を上方の第一位置にする代わりに、連結具２３と柱材ブロック３３との連結を解き、箱状体４０をクロス部材１９上に置いてもよい。このように敷板４１は、ベース部材の外縁部の上下方向中央領域と同じ高さ位置で吊り下げ支持される相対的に上方の第一位置と、クロス部材１９に載置される相対的に下方の第二位置とに選択的にされる。敷板４１の高さ位置を選択的に変化させることにより、プレイヤードおよびベビーベッドとして使用可能である。敷板４１の上面は乳幼児が遊んだり寝たりする場所を提供する。
【００４３】
以上、図面を参照してこの考案の実施の形態を説明したが、この考案は、図示した実施の形態のものに限定されない。図示した実施の形態に対して、この考案と同一の範囲内において、あるいは均等の範囲内において、種々の修正や変形を加えることが可能である。
【産業上の利用可能性】
【００４４】
この考案になるベビーベッドは、育児用家具ないし育児用器具において有利に利用される。
【符号の説明】
【００４５】
１０  ベビーベッド、    １１  フレーム構造体（ベース部材）、    １２  布状部材（外周シート）、    １３  脚部、    １４  柱材、    １５，１６，１７，１８  横材、    １９  クロス部材、    ２１  吊り下げ部材、    ２２  帯状体、    ２３  連結具、    ２５  アリ型、    ３１  棒部材、    ３３  柱材ブロック、    ３４  横材ブロック、    ３５  アリ溝、    ４０  箱状体、    ４１  敷板、    ４２  筒状部材、    ４３  屈曲線、    ４４  収納袋、    ５１  第１壁板、    ５２  第２壁板、    ５３  第３壁板、    ５４  第４壁板、    ５５  境界線、    ５６，５７  筒状部材、    ５８，５９  面ファスナ、    Ｆ  床。
【図１】
0003181795.tif 000003
【図２】
0003181795.tif 000004
【図３】
0003181795.tif 000005
【図４】
0003181795.tif 000006
【図５】
0003181795.tif 000007
【図６】
0003181795.tif 000008